(57)【要約】  ロータリーエンコーダ（３２０）の係合溝にダイヤル（１０５）の嵌合部（２１０）の内爪を係合する。ダイヤル（１０５）に嵌合部（２１０）から径方向の外方に周方向に互いに間隔をおいて突出する複数の抜け止め突出部を形成する。ドアフレーム（１２０）に嵌合部（２１０が通過可能な貫通穴（５００）と、複数の抜け止め突出部が通過可能の複数の凹部とを形成する。複数の抜け止め突出部を、複数の凹部と周方向の位相が一致したときのみ複数の凹部を通過可能にする。複数の抜け止め突出部を、凹部の操作部（２００）側とは反対側に位置させて、操作部（２００）の回動と同期して自在に回動するようにする。
2010143703.tif 000002
【特許請求の範囲】
【請求項１】
静止部と、この静止部に対する回転部とを有し、この回転部の外周面に、軸方向に延びると共に、互いに周方向に間隔をおいて位置する複数の係合溝を有するロータリーエンコーダと、
外周面を有する操作部と、上記操作部の中央側から軸方向に突出すると共に、上記回転部に嵌合する略筒状の嵌合部と、上記嵌合部に設けられて、上記係合溝に係合する係合部と、上記嵌合部から径方向の外方に周方向に互いに間隔をおいて突出する少なくとも１つの抜け止め突出部とを有するエンコーダボタンと、
上記嵌合部が挿入される貫通穴と、上記抜け止め突出部が通過可能な少なくとも１つの凹部とを有する板状部材と
を備え、
上記抜け止め突出部は、上記凹部と周方向の位相が一致したときに、上記凹部を通過可能であると共に、上記抜け止め突出部と、上記凹部との位相が一致していないときに、上記板状部材に軸方向に係止されることを特徴とするエンコーダボタンの抜け防止構造。
【請求項２】
請求項１に記載のエンコーダボタンの抜け防止構造において、
上記係合部は、上記嵌合部の上記操作部側とは反対側の先端部からレ字状に径方向の内側に屈曲する内爪であり、
上記内爪は、径方向の内方を向いている面に平面部を有していることを特徴とするエンコーダボタンの抜け防止構造。
【請求項３】
請求項１または２に記載のエンコーダボタンの抜け防止構造において、
上記エンコーダボタンは、上記嵌合部と、上記操作部とを連結する連結部を有し、
上記板状部材の上記貫通穴の周辺の部分には、Ｃ面カットが施されていることを特徴とするエンコーダボタンの抜け防止構造。
【発明の詳細な説明】
【技術分野】
【０００１】
本発明は、エンコーダボタンの抜け防止構造に関し、特に、電子レンジや、蒸気調理器等の加熱調理器に使用すれば好適なエンコーダボタンの抜け防止構造に関する。
【背景技術】
【０００２】
従来、エンコーダボタンの抜け防止構造としては、特開２００５−１９７０７０号公報（特許文献１）に記載されているものがある。【０００３】
このエンコーダボタンの抜け防止構造は、環状のロータリーフランジと、ローターとを備え、上記ロータリーフランジは、ロータリーフランジの下面から突出する複数の弾性係止爪部を有する。上記複数の弾性係止爪部は、周方向に互いに間隔をおいて配置されている。上記各弾性係止爪部は、その先端部を内側に向けてＬ字状に形成されている。【０００４】
一方、上記ローターは、回転自在な筒部を有し、その筒部の外周面は、複数の係止穴を有し、上記複数の係止穴は、周方向に互いに間隔をおいて配置されている。【０００５】
上記エンコーダボタンの抜け防止構造は、ロータリーフランジの弾性係止爪部を、上記ローターの係止穴にスナップイン係止することにより、ロータリーフランジが上記ローターから抜けないようにしている。【０００６】
上記従来のエンコーダボタンの抜け防止構造では、ロータリーフランジの弾性係止爪部を、上記ローターの係止穴にスナップイン係止しているのみであるから、ユーザーがロータリーフランジを一定以上の力で引っ張った場合、弾性係止爪部が、複数の係止穴から外れるのを避けがたく、エンコーダボタンの抜け防止構造の所望でない分解を避けがたい。【０００７】
一方、蒸気調理器等のメンテナンス時において、エンコーダボタンの抜け防止構造を円滑かつ容易に分解できるようにして欲しいという要請がある。
【先行技術文献】
【特許文献】
【０００８】
【特許文献１】特開２００５−１９７０７０号公報（第２図）
【発明の概要】
【発明が解決しようとする課題】
【０００９】
そこで、本発明の課題は、ロータリーエンコーダからのエンコーダボタンの外れを確実に防止でき、かつ、容易かつ円滑に分解かつ組み立てができるエンコーダボタンの抜け防止構造を提供することにある。
【課題を解決するための手段】
【００１０】
上記課題を解決するため、この発明のエンコーダボタンの抜け防止構造は、
静止部と、この静止部に対する回転部とを有し、この回転部の外周面に、軸方向に延びると共に、互いに周方向に間隔をおいて位置する複数の係合溝を有するロータリーエンコーダと、
外周面を有する操作部と、上記操作部の中央側から軸方向に突出すると共に、上記回転部に嵌合する略筒状の嵌合部と、上記嵌合部に設けられて、上記係合溝に係合する係合部と、上記嵌合部から径方向の外方に周方向に互いに間隔をおいて突出する少なくとも１つの抜け止め突出部とを有するエンコーダボタンと、
上記嵌合部が挿入される貫通穴と、上記抜け止め突出部が通過可能な少なくとも１つの凹部とを有する板状部材と
を備え、
上記抜け止め突出部は、上記凹部と周方向の位相が一致したときに、上記凹部を通過可能であると共に、上記抜け止め突出部と、上記凹部との位相が一致していないときに、上記板状部材に軸方向に係止されることを特徴としている。【００１１】
尚、上記抜け止め突出部の数と、上記凹部の数は、一致していても良く、上記抜け止め突出部の数が、上記凹部の数よりも少なくても良い。上記位相が一致したときとは、上記抜け止め突出部の数が、上記複数の凹部の数よりも少ない場合には、全部の抜け止め突出部の位相が、複数の凹部のうちで抜け止め突出部の数と同じ数の凹部の位相と一致している状態をいう。【００１２】
また、上記略筒状には、筒状が含まれる。【００１３】
本発明によれば、上記ロータリーエンコーダの係合溝に、エンコーダボタンの係合部が嵌合した状態で、上記抜け止め突出部が、上記凹部の上記操作部側とは反対側に位置し、かつ、上記抜け止め突出部は、上記凹部と周方向の位相が一致したときのみ、上記凹部を通過可能になっている。【００１４】
したがって、上記抜け止め突出部が、上記凹部と周方向の位相が一致していない箇所、詳しくは、一回転中一または数箇所のみの着脱可能箇所以外の箇所において、ユーザーが大きな力で、上記エンコーダボタンを、板状部材から離れる方向に引っ張ったとしても、上記抜け止め突出部が、板状部材の凹部の操作部側とは反対側の開口に連なる面に衝突して、その面から抗力を受けることにより、エンコーダボタンが、板状部材から所定以上離れることが確実に防止される。したがって、ロータリーエンコーダからのエンコーダボタンが外れることがない。【００１５】
また、本発明によれば、メンテナンス時等において、エンコーダボタンの抜け防止構造の分解が必要になった際には、エンコーダボタンを適宜適切に回転させて、抜け止め突出部は、上記凹部と周方向の位相が一致している状態で、エンコーダボタンを引き抜くだけで、容易かつ円滑にエンコーダボタンの抜け防止構造を分解することができる。したがって、メンテナンスを容易かつ円滑に行うことができる。【００１６】
また、一実施形態では、
上記係合部は、上記嵌合部の上記操作部側とは反対側の先端部からレ字状に径方向の内側に屈曲する内爪であり、
上記内爪は、径方向の内方を向いている面に平面部を有している。【００１７】
上記実施形態によれば、上記内爪が、径方向の内方を向いている面に平面部を有しているから、その平面部と、係合溝との静止摩擦係数を下げることができる。したがって、上記抜け止め突出部が、上記凹部と周方向の位相が一致している箇所において、過度に大きな力でひっぱらなくても、一定以上の力を加えることで、ロータリーエンコーダの係合溝からエンコーダボタンの係合部を外すことができる。したがって、エンコーダボタンの分解が必要なメンテナンスを更に容易に行うことができる。【００１８】
また、一実施形態では、
上記エンコーダボタンは、上記嵌合部と、上記操作部とを連結する連結部を有し、
上記板状部材の上記貫通穴の周辺の部分には、Ｃ面カットが施されている。【００１９】
上記実施形態によれば、上記嵌合部と、上記板状部材の上記貫通穴の周辺の部分のＣ面カットが施された部分とが、回転時に接触した際に発生する摩擦を小さくすることができる。したがって、エンコーダボタンと、板状部材の摺動面の摩耗を抑制できて、また、操作部を円滑に操作することができる。
【発明の効果】
【００２０】
本発明のエンコーダボタンの抜け防止構造によれば、ロータリーエンコーダからのエンコーダボタンの外れを確実に防止でき、かつ、メンテナンス時においては、ロータリーエンコーダからのエンコーダボタンの着脱を容易かつ円滑に行うことができる。
【図面の簡単な説明】
【００２１】
【図１】本発明の一実施形態の蒸気調理器の外観を示す斜視図である。
【図２】上記蒸気調理器の概略構成図である。
【図３】上記蒸気調理器のエンコーダボタンを示す斜視図である。
【図４】上記蒸気調理器の回路基板上に配置されたロータリーエンコーダを示す斜視図である。
【図５】上記蒸気調理器のドアフレームを示す斜視図である。
【図６】ドアフレーム上のエンコーダボタン挿入口の形状を示す図である。
【図７】エンコーダボタン、ドアフレームおよびロータリーエンコーダが係合している状態の模式図である。
【図８】図６のF８−F８線矢視断面図である。
【発明を実施するための形態】
【００２２】
以下、本発明を図示の形態により詳細に説明する。
【００２３】
図１は、本発明の一実施形態の蒸気調理器を正面側から見たときの斜視図である。
【００２４】
この蒸気調理器は、直方体形状のケーシング１０１と、加熱室２（図２参照）と、開閉扉１０３と、取手構造１０４とを備える。上記開閉扉１０３は、その開閉扉１０３の下縁を、略中心軸とする、回動を行うことによって、上記加熱室２の前面側のドアフレーム１２０の開口部が開閉されるようになっている。開閉扉１０３の略中央部には、耐熱ガラス１１１が配置され、ユーザーが、耐熱ガラス１１１を通して加熱室２内の状態を視認できるようになっている。上記開閉扉１０３の後面には、耐熱ガラス１１１を取り囲むように耐熱樹脂製のパッキン（図示せず）が固着されている。なお、上記ドアフレーム１２０は本発明の板状部材の一例である。また、上記ドアフレーム１２０とは形状が異なる部材を本発明の板状部材の一例としてもよい。
【００２５】
上記パッキンは、開閉扉１０３の全閉時、加熱室２の開口部の周縁部に強く押し付けられるようになっている。これにより、開閉扉１０３と加熱室２の開口部の周縁部との間から、加熱室２内の水蒸気などが漏れ出るのを防止している。
【００２６】
上記ケーシング１０１の前面の右側には、操作パネルがある。操作パネルには、エンコーダボタンとしてのダイヤル１０５、決定ボタン１０６、スタートボタン１０７、操作ボタン１１４および液晶表示部１０８がある。
【００２７】
上記ダイヤル１０５および決定ボタン１０６は、多目的で使用されるが、例えば、ダイヤル１０５を適宜回転することで、液晶表示部１０８に表示される複数の調理メニューから所望の調理メニューを取捨選択することができる。また、上記決定ボタン１０６で、その所望の調理メニューを決定することができる。
【００２８】
また、上記スタートボタン１０７は、調理をスタートさせる際に使用するようになっている。また、上記操作ボタン１１４は、取り消しボタン等からなり、取り消しボタンは、調理を取り消す際に使用するようになっている。
【００２９】
上記ダイヤル１０５は、蒸気調理器内部の回路基板に搭載されているロータリーエンコーダ３２０（図４参照）の回転部３３０（図４参照）に係止して、ロータリーエンコーダ３２０に回転動力を伝えるようになっている。このようにして、ユーザーがダイヤル１０５を回す回転速度を測定して、例えば、この情報によって、液晶表示部１０８での調理メニューの表示方法を適宜、変えるようにしている。上記ダイヤル１０５、ドアフレーム１２０および上記ロータリーエンコーダ３２０は、エンコーダボタンの抜け防止構造７００（図７参照）を構成している。
【００３０】
尚、図１において、１０９は、外周円錐面を有する金属製の環状部材である。この環状部材１０９は、ドアフレーム１２０に固定されている。この環状部材１０９は、ダイヤル１０５をサポートし、ダイヤル１０５を径方向に支持する役割を果たしている。また、上記環状部材１０９は、ユーザーのダイヤル１０５操作時の手触り感を心地よいものとし、また、蒸気料理器の外観を高級感あふれるものとしている。
【００３１】
図２は、上記加熱調理器の概略構成図である。
【００３２】
上記加熱調理器は、ケーシング１０１と、加熱室２と、蒸気を発生させる蒸気発生装置３と、蒸気加熱ヒータ４と、制御装置５とを備える。
【００３３】
上記加熱室２は、ケーシング１０１内に設けられている。また、上記蒸気加熱ヒータ４は、蒸気発生装置３からの水蒸気を加熱して過熱水蒸気にしている。また、制御装置５は、蒸気発生装置３や蒸気加熱ヒータ４などの動作を制御している。尚、上記過熱水蒸気とは、１００℃以上の過熱状態にまで加熱された水蒸気を意味している。
【００３４】
上記加熱室２は、扉１０３（図１参照）で開閉される開口部を正面側に有している。また、上記加熱室２の側面、底面および天面は、ステンレス鋼板からなっている。ユーザーは、その開口部を通して、加熱室２に被加熱物１０を出し入れするようになっている。上記加熱室２の周囲に、断熱材（図示せず）を配置して、加熱室２内と外部とを断熱している。
【００３５】
上記加熱室２内には、加熱室２の底面から所定の間隔をあけて鉄などの金属製あるいはセラミックス製のトレイ６が置かれている。上記トレイ６は、加熱室２の左右の側壁に設けられた下受け棚１１により支持されている。上記トレイ６上には、鉄などの金属製の調理網７が載置され、その調理網７の略中央に被加熱物１０が置かれるようになっている。こうして、上記被加熱物１０が、加熱室２の底面から間隔をあけた状態で加熱室２内に収容されるようになっている。
【００３６】
上記加熱室２の左右の側壁には、下受け棚１１よりも上側に位置する中受け棚１２と、中受け棚１２よりも上側に位置する上受け棚１３とが設けられている。上記中受け棚１２および上受け棚１３も、下受け棚１１と同様に、トレイ６を支持することが可能である。
【００３７】
上記蒸気発生装置３は、蒸気発生部３９と、給水タンク４０と、水加熱ヒータ４１と、電磁弁４９とを有している。上記給水タンク４０は、蒸気発生部３９に供給する水を収容するようになっている。また、上記水加熱ヒータ４１は、蒸気発生部３９内に設置され、蒸気発生部３９内に溜まった水を加熱して蒸発させるようになっている。尚、上記水加熱ヒータ４１は、シーズヒータを渦巻状に巻いたものである。
【００３８】
上記電磁弁４９が開放すると、給水タンク４０内の水が蒸気発生部３９内に流入し、また、電磁弁４９が閉鎖すると、給水タンク４０から蒸気発生部３９への水の移動ができなくなる。また、上記蒸気発生部３９には、水位センサ（図示せず）が設けられており、この水位センサの検出値に応じて、電磁弁４９が開閉するようになっている。
【００３９】
上記給水タンク４０は、蒸気発生部３９に対して着脱可能となっており、正面側からケーシング１外に取り出せるようになっている。上記蒸気発生部３９の底部には、排水弁４２が取り付けられている。この排水弁４２に、排水経路１４の一方の端部が接続されている。上記排水経路１４の他方の端部は、つゆ受け９上に位置している。上記つゆ受け９は、ケーシング１に着脱可能となっており、正面側からケーシング１外に取り出せるようになっている。
【００４０】
また、上記加熱室２の一方の側面においては、上受け棚１３と中受け棚１２との間に、循環吸気口１５が設けられている。そして、上記加熱室２の上面には、蒸気加熱ヒータ４に対向するように第１噴出口１６が設けられている。さらに、上記加熱室２の他方の側面には、第２，第３噴出口１７，１８が設けられている。上記第２噴出口１７は、上受け棚１３と中受け棚１２との間に位置している。一方、第３噴出口１８は、中受け棚１２と下受け棚１１との間に位置している。上記循環吸気口１５、第１噴出口１６、第２噴出口１７および第３噴出口１８により、加熱室２内の空間と、循環経路８内の空間とが互いに連通するようになっている。
【００４１】
上記循環経路８は、一端部が循環吸気口１５に接続されていると共に、他端部が第２噴出口１７および第３噴出口１８に接続されている。循環吸気口１５近傍の循環ファン１９は、循環吸気口１５から加熱室２内の水蒸気を吸い込み、蒸気加熱ヒータ４に向けて吹き出す。そして、上記水蒸気が、蒸気加熱ヒータ４で加熱されて過熱水蒸気となった後、第１噴出口１６および第２，第３噴出口１７，１８から、加熱室２内に向かって噴出するようになっている。
【００４２】
また、上記循環経路８の循環吸気口１５近傍の部分は、蒸気放出経路２０を介して蒸気発生部３９に接続されている。これにより、蒸気発生部３９で発生した水蒸気が、蒸気放出経路２０を流れて循環経路８に入り、循環吸気口１５からの水蒸気と合流して蒸気加熱ヒータ４へ向かって流れるようになっている。また、上記加熱室２内の余剰な蒸気が、第１，第２排気口２１，２２から加熱室２外に流れ出るようになっている。
【００４３】
上記第１排気口２１には、排気経路２３の一端部が接続されている。また、上記排気経路２３の他端部は、エジェクタ２４を形成している。また、上記第１排気口２１は、排気ダンパ２５で開閉可能になっている。
【００４４】
上記第２排気口２２には、排気チューブ２６の一端部が接続されている。また、上記排気チューブ２６の他端部は、排気経路２３に接続されている。これにより、排気チューブ２６内の蒸気が、排気経路２３内の蒸気と合流して、エジェクタ２４からケーシング１外に出ることができるようになっている。また、上記エジェクタ２４からケーシング１０１外へ向かう蒸気が、希釈空気経路２７および吸込ダクト２８からの空気と混ざって希釈できるようになっている。
【００４５】
上記希釈空気経路２７は、エジェクタ２４内に挿入された一端部と、ファンケーシング２９に接続された他端部とを有する。このファンケーシング２９内の排気希釈ファン３０は、エジェクタ２４へ空気を送るようになっている。また、上記ファンケーシング２９は、給気経路３１を介して給気口３２に接続されている。上記給気口３２は、給気ダンパ３３で開閉可能になっている。また、上記ケーシング１内には、マイクロ波を発生するマグネトロン５２も設置されている。
【００４６】
図３は、エンコーダボタンであるダイヤル１０５を示す斜視図である。
【００４７】
図３に示すように、上記ダイヤル１０５は、円筒状の操作部２００と、略筒状の嵌合部２１０と、連結部２２０と、３つの抜け止め突出部２２５とを有する。上記連結部２２０は、操作部２００の内周側と、嵌合部２１０の外周側とを連結している。後に詳述するように、上記嵌合部２１０は、上記回路基板に装着された上記ロータリーエンコーダ３２０の外周面に外嵌して係合するようになっている。
【００４８】
図３に示すように、上記嵌合部２１０は、操作部２００の中央側から軸方向に突出している。上記嵌合部２１０は、連結部２２０から、軸方向のロータリーエンコーダ３２０側となる方に突出している。
【００４９】
上記嵌合部２１０は、係合部としての複数の内爪２３０を有している。上記複数の内爪２３０は、周方向に等間隔に配置されている。上記各内爪２３０は、嵌合部２１０の操作部２００側とは反対側に先端からレ字状に径方向の内側に屈曲している。上記各内爪２３０は、径方向の内方を向いている面に平面部２３１を有している。
【００５０】
上記３つの抜け止め突出部２２５は、周方向に互いに間隔をおいて配置されている。上記各抜け止め突出部２２５は、径方向に突出している。上記各抜け止め突出部２２５は、断面略等脚台形の平面形状を有している。
【００５１】
また、上記嵌合部２１０は、複数の切欠き２６０を有している。この切欠き２６０によって、嵌合部２１０の剛性を下げて、嵌合部２１０の可撓性を向上させるようにしている。このようにして、嵌合部２１０を、上記ロータリーエンコーダ３２０に外嵌して固定した際に、嵌合部２１０にクラック等が発生することを防止している。
【００５２】
図４は、ロータリーエンコーダ３２０を示す斜視図である。
【００５３】
上記ロータリーエンコーダ３２０は、回路基板３００に装着されて固定されている。上記ロータリーエンコーダ３２０は、筒状の静止部３４１と、筒状の回転部３３０を有する。上記静止部３４１は、回転基板３００に対して固定されている。上記静止部３４１は、回転基板３００に対して静止している。また、上記回転部３３０は、筒状の静止部３４１の内周面側に、静止部３４１に対して、軸方向に相対移動不可である一方、周方向に回転自在に内嵌されている。上記回転部３３０の軸方向の長さは、静止部３４１の長さよりも長くなっている。上記回転部３３０の外周面の静止部３４１から離れた部分は、複数の係合溝３４０を有する。上記各係合溝３４０は、回転部３３０の軸方向に延在している。上記複数の係合溝３４０は、周方向に等間隔に配置されている。上記回転部３３０には、ダイヤル１０５の嵌合部２１０（図３参照）が外嵌されて固定されるようになっている。上記回転部３３０の環状溝３４０には、嵌合部２１０の複数の内爪２３０（図３参照）が係合するようになっている。このようにして、ダイヤル１０５と、回転部３３０とを係合して、ダイヤル１０５の回転動力を、回転部３３０に伝達するようになっている。
【００５４】
図５は、蒸気調理器のドアフレーム１２０を示す斜視図である。
【００５５】
図５において、４００は、液晶表示部１０８が、嵌め込まれる開口であり、４１０は、操作ボタン１１４が、嵌め込まれる開口である。また、４２０は、スタートボタン１０７が、嵌め込まれる開口であり、４３０は、ダイヤル１０５が、嵌め込まれる開口である。また、４４０は、耐熱ガラス１１１（図１参照）が嵌め込まれる開口である。
【００５６】
図６は、ドアフレーム１２０のダイヤル１０５嵌め込み用の開口（以下、ダイヤル用開口という）４３０付近の拡大平面図である。
【００５７】
図６に示すように、上記ダイヤル用開口４３０は、円形状の貫通穴５００と、３つの凹部５１０とを有し、各凹部５１０は、等脚台形状の開口形状を有している。上記凹部５１０は、ドアフレーム１２０を貫通している。上記凹部５１０は、ドアフレーム１２０の操作部２００側とは反対側の表面に存在する円板状の抜け止め突出部収容凹部（図示せず）に連通している。上記各凹部５１０は、貫通穴５００に連通している。上記３つの凹部５１０は、貫通穴５００の周上に３等配されている。
【００５８】
上記貫通穴５００の内径は、略筒状の嵌合部２１０（図３参照）の円筒部の外径よりに若干大きくなっており、嵌合部２１０は、貫通穴５００を通過できるようになっている。一方、上記ダイヤル１０５の３つの抜け止め突出部２２５の仮想外接円の内径は、貫通穴５００の内径よりも大きくなっている。このことから、３つの抜け止め突出部２２５は、貫通穴５００を通過することができないようになっている。また、上記円板状の抜け止め突出部収容凹部の内径は、上記仮想外接円の内径よりも大きくなっている。このことから、３つの抜け止め突出部２２５は、抜け止め突出部収容凹部内を自在に回動できるようになっている。
【００５９】
上記各凹部５１０の開口は、ダイヤル１０５の抜け止め突出部２２５（図３参照）の平面形状に対応した平面形状を有している。また、各凹部５１０は、ダイヤル１０５の抜け止め突出部２２５よりも若干大きな開口面積を有し、抜け止め突出部２２５が、凹部５１０を通過できるようになっている。
【００６０】
上記構成において、エンコーダボタンの抜け防止構造７００を次のように組み立てる。
【００６１】
先ず、ダイヤル１０５の嵌合部２１０（図３参照）を、貫通穴５００（図６参照）を通過させた後、ロータリーエンコーダ３２０の回転部３３０（図４参照）の外周面の先端側に外嵌させて、嵌合部２１０の内爪２３０の先端側の端部を、ロータリーエンコーダ３２０の環状溝３４０（図４参照）にひっかける。
【００６２】
次に、上記嵌合部２１０の３つの抜け止め突出部２２５と、ロータリーエンコーダ３２０の凹部５１０の周方向の位相が一致するまで、ダイヤル１０５を適宜、適切に回転させる。
【００６３】
続いて、３つの抜け止め突出部２２５と、ロータリーエンコーダ３２０の凹部５１０の周方向の位相が一致している状態で、ダイヤル１０５を、ロータリーエンコーダ３２０の方に押し込んで、嵌合部２１０の内爪２３０を、ロータリーエンコーダ３２０の環状溝３４０に完全に係合させる。この状態で、上記３つの抜け止め突出部２２５が、ドアフレーム１２０における操作部２００側とは反対側の表面に存在する上記円板状の抜け止め突出部収容凹部に収容されるようになっている。尚、この時、ロータリーエンコーダ３２０の環状溝３４０に対する嵌合部２１０の内爪２３０の完全な係合は、カチィッという係合音により確認できる。
【００６４】
最後に、上記ダイヤル１０５を、周方向に適当に回転して、３つの抜け止め突出部２２５を、円板状の抜け止め突出部収容凹部内を回転させる。そして、３つの抜け止め突出部２２５と、ロータリーエンコーダ３２０の凹部５１０の周方向の位相が不一致な状態にする。このようにして、ダイヤル１０５、ドアフレーム１２０およびロータリーエンコーダ３２０からなるエンコーダボタンの抜け防止構造７００の組み立てを完了する。
【００６５】
図７は、エンコーダボタンの抜け防止構造７００の模式断面図である。
【００６６】
図７において、１０５は、ダイヤルであり、２００は、操作部であり、３３０は、ロータリーエンコーダ３２０の回転部である。また、３００は、回路基板であり、１２０は、ドアフレームである。図７に示すように、上記ドアフレーム１２０は、貫通穴５００を有している。また、上記ダイヤル１０５の嵌合部２１０が、ロータリーエンコーダ３２０の回転部３２０に外嵌されている。
【００６７】
図８は、図６のF８−F８線から見た概略断面図である。
【００６８】
上記ドアフレーム１２０の貫通穴５００の周辺の部分５７０には、Ｃ面カット（面取り）が施されている。また、この面取りは、エッジが立たないように滑らかに施されている。
【００６９】
上記実施形態のエンコーダボタンの抜け防止構造７００によれば、ロータリーエンコーダ３２０の係合溝３４０に、ダイヤル１０５の内爪２３０が嵌合した状態で、抜け止め突出部２２５が、凹部５１０の操作部２００側とは反対側に位置し、かつ、３つの抜け止め突出部２２５は、３つの凹部５１０と周方向の位相が一致したときのみ、３つの凹部５１０を通過可能になっている。
【００７０】
したがって、上記３つの抜け止め突出部２２５が、３つの凹部５１０と周方向の位相が一致していない箇所、詳しくは、一回転中一箇所のみの着脱可能箇所以外の箇所において、ユーザーが大きな力で、エンコーダボタンであるダイヤル１０５を、ドアフレーム１２０から離れる方向に引っ張ったとしても、抜け止め突出部２２５が、ドアフレーム１２０の凹部５１０の操作部２００側とは反対側の開口に連なる面に衝突して、その面から抗力を受けることにより、ダイヤル１０５が、ドアフレーム１２０から所定以上離れることが確実に防止される。したがって、上記ロータリーエンコーダ３２０からのダイヤル１０５が外れることがない。
【００７１】
また、上記実施形態のエンコーダボタンの抜け防止構造７００によれば、メンテナンス時等において、エンコーダボタンの抜け防止構造７００の分解が必要になった際には、ダイヤル１０５を適宜適切に回転させて、３つの抜け止め突出部２２５が、３つの凹部５１０と周方向の位相が一致している状態で、ダイヤル１０５を引き抜くだけで、容易かつ円滑にエンコーダボタンの抜け防止構造７００を分解することができる。したがって、メンテナンスを容易かつ円滑に行うことができる。
【００７２】
また、上記実施形態のエンコーダボタンの抜け防止構造７００によれば、上記内爪２３０が、径方向の内方を向いている面に平面部２３１を有しているから、その平面部２３１と、係合溝３４０との静止摩擦係数を下げることができる。したがって、上記３つの抜け止め突出部２２５が、３つの凹部５１０と周方向の位相が一致している箇所において、過度に大きな力でひっぱらなくても、一定以上の力を加えることで、ロータリーエンコーダ３２０の係合溝３４０からダイヤル１０５の内爪２３０を外すことができる。したがって、上記ダイヤル１０５の分解が必要なメンテナンスを容易に行うことができる。
【００７３】
また、上記実施形態のエンコーダボタンの抜け防止構造７００によれば、上記嵌合部２１０と、ドアフレーム１２０の貫通穴５００の周辺の部分のＣ面カットが施された部分５７０（図６参照）とが、回転時に接触した際に発生する摩擦を小さくすることができる。したがって、ダイヤル１０５と、ドアフレーム１２０の摺動面の摩耗を抑制できて、また、ダイヤル１０５の操作部２００を円滑に操作することができる。
【００７４】
尚、上記実施形態のエンコーダボタンの抜け防止構造７００では、抜け止め突出部２２５の平面形状および凹部５１０の開口の形状が、略等脚台形状であったが、この発明では、抜け止め突出部の平面形状および凹部の開口の形状は、矩形状、半円形状等、如何なる形状であっても良い。
【００７５】
また、上記実施形態のエンコーダボタンの抜け防止構造７００では、抜け止め突出部２２５および凹部５１０が、周方向に３等配されていたが、この発明では、抜け止め突出部および凹部は、周方向に１つ配置されても良いし、あるいは、周方向に２またはＮ（Ｎは、４以上の自然数）等配されていても良い。また、この発明では、抜け止め突出部および凹部は、周方向に等間隔でない間隔をおいて複数配置されていても良い。
【００７６】
また、上記実施形態のエンコーダボタンの抜け防止構造７００では、抜け止め突出部２２５の数と、凹部５１０の数が等しかったが、この発明では、抜け止め突出部の数が、凹部の数よりも少なくても良い。尚、この場合、エンコーダボタンの抜け防止構造の組立時において、全ての抜け止め突出部の位相が、複数の凹部のうちで抜け止め突出部の数と同じ数の凹部の位相と一致することは言うまでもない。
【００７７】
また、上記実施形態のエンコーダボタンの抜け防止構造７００では、抜け止め突出部２２５が、ドアフレーム１２０の操作部２００側とは反対側の表面に位置する抜け止め突出部収容凹部に収容されるようになっていた。しかしながら、この発明では、ドアフレームの操作部側とは反対側の表面に、抜け止め突出部収容凹部が存在していなくても良く、抜け止め突出部が、操作部の回転と同期して自在に回転できれば、ドアフレームの操作部側とは反対側の表面は、如何なる形状であっても良い。また、この発明では、凹部が、ドアフレームを貫通していなくて、凹部が、ドアフレーム内に形成された抜け止め突出部収容室内に連通する構成であっても良い。尚、この場合、上記抜け止め突出部収容室が、抜け止め突出部の仮想外接円を収容できる径方向の断面広さを有していることは言うまでもない。
【００７８】
また、上記実施形態のエンコーダボタンの抜け防止構造７００では、係合部が、内爪２３０であったが、この発明では、係合部が、スプライン、または、セレーション等であって、係合溝が、スプライン溝、または、セレーション溝等であり、エンコーダボタンの嵌合部と、ロータリーエンコーダの回転部とが、スプライン係合、または、セレーション係合等して、同期回転する構成であっても良い。また、係合部が、嵌合部の内周面または外周面であって、嵌合部を、ロータリーエンコーダの回転部に外嵌または内嵌により圧入する構成であっても良い。
【００７９】
また、上記実施形態のエンコーダボタンの抜け防止構造７００は、蒸気調理器の一部であった。しかしながら、この発明のエンコーダボタンの抜け防止構造は、過熱水蒸気を使用しないオーブン、レンジ、オーブンレンジまたはＩＨクッキングヒータ等の加熱調理器の一部であっても良く、また、過熱水蒸気を使用するオーブン、レンジまたはＩＨクッキングヒータ等の加熱調理器の一部であっても良い。また、この発明のエンコーダボタンの抜け防止構造は、各種計測装置の一部であっても良い。
【符号の説明】
【００８０】
１０５  ダイヤル
１２０  ドアフレーム
２００  操作部
２１０  嵌合部
２２０  連結部
２２５  抜け止め突出部
２３０  内爪
２３１  平面部
３２０  ロータリーエンコーダ
３３０  回転部
３４０  係合溝
３４１  静止部
４３０  ダイヤル用開口
５００  貫通穴
５１０  凹部
５７０  ドアフレームの貫通穴の周辺の部分
７００  エンコーダボタンの抜け防止構造
【図１】
2010143703.tif 000003
【図２】
2010143703.tif 000004
【図３】
2010143703.tif 000005
【図４】
2010143703.tif 000006
【図５】
2010143703.tif 000007
【図６】
2010143703.tif 000008
【図７】
2010143703.tif 000009
【図８】
2010143703.tif 000010
【国際調査報告】
2010143703.tif 000011
2010143703.tif 000012
2010143703.tif 000013
2010143703.tif 000014